(57)【要約】      （修正有）【課題】いかなる場所にも設置して装飾物を傾倒させることができ、装飾性を高めることで傾倒装飾体の観賞者を楽しませることができる傾倒装飾体を提供する。【解決手段】傾倒装飾体１は、装飾物２１ａ、２２ａと取付具２１ｂ、２２ｂと引き寄せ具２ｃとからなる装飾具２と、基台３と、収容具４とから構成される。取付具は装飾物を基台に設置するための棒状の部材である。引き寄せ具は基台の溶融に伴って装飾具を傾倒させるための重り部材であり、装飾具を傾倒させる方向に引き寄せる部材である。基台は装飾具を立設するための基礎となる部材であって、氷魂によって形成されている。収容具は基台をその内部に収容するための収容部４ａを備えている。【選択図】図４
0003200620.tif 000002
【実用新案登録請求の範囲】
【請求項１】
装飾具と、基台と、収容具とから構成されている傾倒装飾体であって、該装飾具は、装飾物と、取付具と、引き寄せ具とからなり、該装飾物は、該傾倒装飾体の装飾性を発揮するための部材であり、該取付具は、該装飾具を該基台に設置するための部材であって、該装飾物が取り付けられるとともに、該基台に取り付けられ、該引き寄せ具は、該基台の溶融に伴って該装飾具を傾倒させるための部材であって、該装飾具を傾倒させる方向へと該装飾物を引き寄せる部材であり、該基台は、該装飾具を立設するための基礎となる部材であって、氷魂によって形成されており、該収容具は、該基台をその内部に収容するための収容部を備えていることを特徴とする傾倒装飾体。
【請求項２】
請求項１に記載した傾倒装飾体であって、前記装飾具には、該装飾具が傾倒するのにあわせて屈曲する屈曲部が設けられていることを特徴とする傾倒装飾体。
【請求項３】
請求項１又は２に記載した傾倒装飾体であって、前記基台を形成する氷魂が台状の氷魂又は複数のブロック状の氷魂であることを特徴とする傾倒装飾体。
【考案の詳細な説明】
【技術分野】
【０００１】
本考案は、玩具、室内装飾品、及び広告宣伝部材等として用いる装飾体に関し、特に、氷魂によって形成した基台に設置した装飾物が該氷魂の溶解に伴って傾倒することによって該装飾体の観賞者を楽しませる傾倒装飾体に関する。
【背景技術】
【０００２】
従来、該傾倒装飾体を構成する装飾物が何らかの手段を用いて傾倒することによってその観賞者を楽しませる傾倒装飾体が提供されている。即ち、まず、裏面を粘着性とした台の上に、上下両端に重りを付けた縦芯棒と、これと直角に交差する横芯棒により構成された十字型回転軸と、該横芯棒の支点となる軸受溝を有する支柱との組合せを骨格として作成した設置母体の運動により、上体が前後におじぎ様の運動をする自動車の走行運動を利用した置物型おじぎ人形が提案されている（例えば、特許文献１参照。）。
【０００３】
また、裏面が粘着性を有する台に立てた片を支柱とするシャフトにリングを遊嵌するとともに錘を吊り、該錘を片を介してリングに取り付け、該リングに立てた片に人形を取り付けた錘の振り子運動によりおじぎ動作をするマスコット人形が提案されている（例えば、特許文献２参照。）。
【０００４】
更に、接着手段を敷設した台にストッパーを取り付け、弾力体によって本体を該台に支持し、該本体に可動するようにした手を取り付けたことを特徴とする手を振りおじぎをする人形も提案されている（特に、特許文献３参照。）。
【先行技術文献】
【特許文献】
【０００５】
【特許文献１】実開昭５７−１４９０９８号公報
【特許文献２】実開昭５７−１９７９９７号公報
【特許文献３】実開昭５９−１１１１９４号公報
【考案の概要】
【考案が解決しようとする課題】
【０００６】
しかしながら、上記の従来技術に係る該傾倒装飾体を構成する装飾物が何らかの手段を用いて傾倒することによって該装飾体の観賞者を楽しませる傾倒装飾体にあっては、いずれも運転中の自動車に設置して該自動車の振動によって装飾物を傾倒させるものである（例えば、特許文献１ないし３参照。）。従って、必然的に該傾倒装飾体を設置する場所が限定されてしまうという問題があった。そこで、本考案の解決しようとする第１の課題は、該傾倒装飾体を構成する装飾物が傾倒することによってその観賞者を楽しませる傾倒装飾体であって、いかなる場所でも設置して該装飾物を傾倒させることができる傾倒装飾体を提供することにある。
【０００７】
また、上記の従来技術に係る該傾倒装飾体を構成する装飾物が何らかの手段を用いて傾倒することによってその観賞者を楽しませる傾倒装飾体にあっては、該傾倒装飾体を設置した自動車の振動によって単純に一定の装飾物が前後に揺動するのみである（例えば、特許文献１ないし３参照。）。そうすると、該装飾物の動作が単純であるために、該傾倒装飾体の観賞者を十分に楽しませることができないという問題があった。そこで、本考案の解決しようとする第２の課題は、該傾倒装飾体を構成する装飾物が傾倒することによってその観賞者を楽しませる傾倒装飾体であって、その装飾性を高めることによって該傾倒装飾体の観賞者を十分に楽しませることができる傾倒装飾体を提供することにある。
【課題を解決するための手段】
【０００８】
本考案は、上記の各課題を解決するために提案されたものであり、以下の構成を有するものである。以下では、本考案の構成を理解するのを補助するため、本願に添付した図面に表示した番号及び符号をあわせて記載する。
【０００９】
請求項１に係る傾倒装飾体（１）は、装飾具（２、２１）と、基台（３）と、収容具（４）とから構成されている。装飾具（２、２１）は、装飾物（２ａ、２１ａ）と、取付具（２ｂ、２１ｂ）と、引き寄せ具（２ｃ）とからなる。装飾物（２ａ、２１ａ）は、傾倒装飾体（１）の装飾性を発揮するための部材である。取付具（２ｂ、２１ｂ）は、装飾具（２、２１）を基台（３）に設置するための部材であって、装飾物（２ａ、２１ａ）が取り付けられるとともに、基台（３）に取り付けられる。引き寄せ具（２ｃ）は、基台（３）の溶融に伴って装飾具（２）を傾倒させるための部材であって、装飾具（２）を傾倒させる方向へと装飾物（２ａ）を引き寄せる部材である。基台（３）は、装飾具（２）を立設するための基礎となる部材であって、氷魂によって形成されている。収容具（４）は、基台（３）をその内部に収容するための収容部（４ａ）を備えている。
【００１０】
請求項２に係る傾倒装飾体（１）は、請求項１に記載した傾倒装飾体であって、前記装飾具（２）には、装飾具（２）が傾倒するのにあわせて屈曲する屈曲部（２ｂ３）が設けられている。
【００１１】
請求項３に係る傾倒装飾体（１）は、請求項１又は２に記載した傾倒装飾体であって、基台（３）を形成する氷魂が台状の氷魂又は複数のブロック状の氷魂である。
【考案の効果】
【００１２】
本考案に係る傾倒装飾体は、上記の通りの構成であるから、以下のような効果を奏することができる。
【００１３】
まず、装飾物（２ａ、２１ａ）が引き寄せ具（２ｃ）によって装飾具（２、２１）を傾倒させる方向へと引き寄せられるので、取付具（２ｂ、２１ｂ）が取り付いている氷魂によって形成されている基台（３）が収容部（４ａ）内において溶融するのに伴って、装飾具（２、２１）が傾倒する。そうすると、傾倒装飾体（１）は、上記の従来技術に係る傾倒装飾体のように運転中の自動車に設置しなくても、あらゆる場所に設置して装飾物を傾倒させることができる。従って、本考案に係る傾倒装飾体は、該傾倒装飾体を構成する装飾物が傾倒することによってその観賞者を楽しませる傾倒装飾体であって、いかなる場所でも設置して装飾物を傾倒させることができる傾倒装飾体を提供するという本考案の解決しようとする第１の課題を解決することができる。
【００１４】
また、装飾物（２ａ、２１ａ）は、取付具（２ｂ、２１ｂ）を用いて基台（３）に設置できるものであれば、観賞者の所望するいかなる形態の装飾物であっても用いることができる。例えば、装飾物（２ａ、２１ａ）としては、ハート形や星形等の様々な形状をした装飾板やキャラクターを描いた装飾板等を用いることができ、また装飾板ではなくマスコット等を用いることもできる。あわせて、基台（３）として種々の形状、模様又は色彩を施した氷魂を採用することができるとともに、収容具（４）として種々の形状、模様又は色彩等を施したものを採用することもできる。従って、本考案に係る傾倒装飾体は、該傾倒装飾体を構成する装飾物が傾倒することによってその観賞者を楽しませる傾倒装飾体であって、その装飾性を高めることによって該傾倒装飾体の観賞者を十分に楽しませることができるという本考案の解決しようとする第２の課題を解決することができる。
【００１５】
そして、請求項２に係る傾倒装飾体（１）は、装飾具（２、２１）が傾倒するのにあわせて屈曲する屈曲部（２ｂ３）が装飾具（２、２１）に設けられているため、例えば装飾物（２ａ、２１ａ）として人物を描いた装飾板を用いると、屈曲部（２ｂ３）における屈曲に伴ってその人物がお辞儀をしているように看取することができる。従って、請求項２に係る傾倒装飾体は、上記の本考案の解決しようとする第２の課題を解決するのに好適である。
【００１６】
更に、請求項３に係る傾倒装飾体（１）によれば、台状の氷魂を基台（３）として用いるならば、所望の容器に貯留した水に取付具（２ｂ、２１ｂ）を挿し入れて冷凍すること等によって、簡便に基台（３）に装飾具（２、２１）を設置することができる。また、複数のブロック状の氷魂を基台（３）として用いるならば、取付具（２ｂ、２１ｂ）を該ブロック状の氷魂の間に生じた空隙に挿し入れることによって、簡便に基台（３）に装飾具（２、２１）を設置することができ、好適である。
【図面の簡単な説明】
【００１７】
【図１】本考案の第１実施形態に係る傾倒装飾体の分解状態の説明図である。
【図２】本考案の第１実施形態に係る傾倒装飾体の使用状態の説明図である。
【図３】図２の平面図である。
【図４】本考案の第１実施形態に係る傾倒装飾体の作用効果の説明図である。
【図５】図４の平面図である。
【図６】本考案の第２実施形態に係る傾倒装飾体の使用状態の説明図である。
【図７】本考案の第２実施形態に係る傾倒装飾体の作用効果の説明図である。
【図８】本考案の第３実施形態に係る傾倒装飾体の使用状態の説明図である。
【図９】図８の一部断面図である。
【図１０】本考案の第３実施形態に係る傾倒装飾体の作用効果の説明図である。
【図１１】図１０の一部断面図である。
【考案を実施するための形態】
【００１８】
以下に、まず、本考案の第１実施形態に係る傾倒装飾体の構造及びその使用態様について添付図面に基づいて説明する。
【００１９】
本考案の第１実施形態に係る傾倒装飾体（１）は、図１ないし５に図示するように、装飾具（２）と、基台（３）と、収容具（４）とから構成されている。
【００２０】
傾倒装飾体（１）は、装飾具（２）として、図１ないし５に図示するように、第１の装飾具（２１）と第２の装飾具（２２）とを有する。傾倒装飾体（１）は、上記のように２体の装飾具（２）を備えているが、特にその個数は限定されない。
【００２１】
第１の装飾具（２１）は、装飾物（２１ａ）と、取付具（２１ｂ）と、引き寄せ具（２ｃ）とからなる。第２の装飾具（２２）は、装飾物（２２ａ）と、取付具（２２ｂ）とからなり、受け止め部（２２ｃ）が設けられている。
【００２２】
装飾物（２１ａ，２２ａ）は、傾倒装飾体（１）の装飾性を発揮するための部材であって、例えば防水塗料を表面に塗布した厚紙等の平面状の部材を用いて所定の形状に形成することができる。第１の装飾具（２１）に係る装飾物（２１ａ）は女性を表現しており、第２の装飾具（２２）に係る装飾物（２２ａ）は男性を表現している。
【００２３】
取付具（２１ｂ，２２ｂ）は、装飾具（２）を基台（３）に設置するための部材であって、棒状の部材であり、その一端に装飾物（２１ａ，２２ａ）が取り付けられるのに対して、その他端が鋭利に形成されていて基台（３）に挿入され取り付けられる。第１の装飾具（２１）に係る取付具（２１ｂ）には比較的細い部材を用いるのに対して、第２の装飾具（２２）に係る取付具（２２ｂ）には比較的太い部材を用いると、基台（３）の溶融に伴って第１の装飾具（２１）の方が第２の装飾具（２２）よりも早く傾倒することになるため、第１の装飾具（２１）が第２の装飾具（２２）に対して寄り添うような恰好を演出するには好適である。
【００２４】
引き寄せ具（２ｃ）は、基台（３）の溶融に伴って装飾具（２）を傾倒させるための部材であり、装飾具（２）を傾倒させる方向へと装飾物（２ａ）を引き寄せる部材である。具体的には、引き寄せ具（２ｃ）は重り材であり、例えば適当な重量の粘土塊や金属片等を用いることができる。例えば、使用者が第１の装飾具（２１）と第２の装飾具（２２）を並列させて、第１の装飾具（２１）を第２の装飾具（２２）側に傾倒させることを希望する場合には、第１の装飾具（２１）における第２の装飾具（２２）側に引き寄せ具（２ｃ）を取り付けておけばよい。
【００２５】
受け止め部（２２ｃ）は、傾倒してきた第１の装飾具（２１）を第２の装飾具（２２）が受け止めるための部位である。即ち、第２の装飾具（２２）は、２本のアームを延設してアームの間を受け止め部（２２ｃ）として形成することによって、基台（３）の溶融に伴って傾倒してきた第１の装飾具（２１）を受け止め部（２２ｃ）内へと案内しながら受け止めることができるため、第１の装飾具（２１）が第２の装飾具（２２）に対して寄り添うような恰好を演出するには好適である。
【００２６】
基台（３）は、図１ないし５に図示するように、装飾具（２）を立設するための基礎となる部材であって、台状の氷魂によって形成されている。基台（３）は、例えばペットボトルの下部を切り取った容器あるいはアイスクリーム用カップ又は即席麺用カップ等を製氷容器として用い、該製氷容器に水道水等を入れて冷凍庫等で凍らせることによって簡便に形成することができる。よって、図では、基台（３）は略円柱状の部材であって上部から下部に向かってやや窄んだ形状の部材であるが、基台（３）の形状はこれに限定されるものではない。従って、使用者は、所望の形状を有する製氷容器を用いることによって様々な形状からなる基台（３）を形成することができる。あわせて、使用者は水に色素を混合させて凍らせることによって、様々な色彩を帯びた基台（３）を形成することもできる。
【００２７】
収容具（４）は、図１ないし５に図示するように、基台（３）をその内部に収容するための収容部（４ａ）を備えている容器状の部材である。例えば、上記のように製氷容器として用いたペットボトルの下部を切り取った容器あるいはアイスクリーム用のカップ又は即席麺用のカップ等を収容具（４）として用いてもよい。あるいは市販されているカップ入りのアイスクリームをそのまま基台（３）及び収容容器（４）として用いることもできる。
【００２８】
使用者は、図２及び３に図示するように、取付具（２１ｂ）の下端を基台（３）の上面に突き刺して取り付け、装飾具（２）を基台（３）に設置する。このとき、第１の装飾具（２１）が傾倒した際に第２の装飾具（２２）の受け止め部（２２ｃ）内に受け止められるように、それらの位置を調節して装飾具（２）を基台（３）に取り付けるようにする。基台（３）が溶融すると、第１の装飾具（２１）に係る取付具（２１ｂ）には比較的細い部材が用いられているのに対して、第２の装飾具（２２）に係る取付具（２２ｂ）には比較的太い部材が用いられており、また第１の装飾具（２１）には第２の装飾具（２２）側に引き寄せ具（２ｃ）である重りが取り付けられているため、第１の装飾具（２１）は第２の装飾具（２２）側へと傾倒し、図４及び５に図示するように受け止め部（２２ｃ）内に受け止められる。そうすると、女性を描いた第１の装飾具（２１）が男性を描いた第２の装飾具（２２）に対して寄り添うような恰好を演出することができるため、傾倒装飾体（１）はカップル向けの装飾体として好適である。
【００２９】
以上が、本考案の第１実施形態に係る傾倒装飾体の構造及びその使用態様についての説明である。次に、本考案の第２実施形態に係る傾倒装飾体の構造及びその使用態様について添付図面に基づいて説明する。
【００３０】
本考案の第２実施形態に係る傾倒装飾体（１）は、図６及び７に図示するように、装飾具（２）と、基台（３）と、収容具（４）とから構成されている。
【００３１】
傾倒装飾体（１）は、装飾具（２）として、図６及び７に図示するように、第１の装飾具（２１）と第２の装飾具（２２）とを有する。傾倒装飾体（１）は、上記の様に２体の装飾具（２）を備えているが、特にその個数は限定されない。
【００３２】
第１の装飾具（２１）は、装飾物（２１ａ）と、取付具（２ｂ）と、引き寄せ具（２ｃ）とからなる。第２の装飾具（２２）は、装飾物（２２ａ）に受け止め部（２２ｃ）が設けられている。
【００３３】
装飾物（２１ａ，２２ａ）は、傾倒装飾体（１）の装飾性を発揮するための部材であって、例えば各種のマスコット等を用いることができる。第１の装飾具（２１）に係る装飾物（２１ａ）は女性を表現しており、第２の装飾具（２２）に係る装飾物（２２ａ）は男性を表現している。
【００３４】
取付具（２ｂ）は、第一の装飾具（２１）を基台（３）に設置するための部材であって、平板の棒状部材であり、その一端に第一の装飾体に係る装飾物（２１ａ）が取り付けられるのに対して、その他端が基台（３）に挿入され取り付けられる。
【００３５】
引き寄せ具（２ｃ）は、基台（３）の溶融に伴って装飾具（２）を傾倒させるための部材であって、装飾具（２）を傾倒させる方向へと装飾物（２ａ）を引き寄せる部材であり、重り材（２ｃ１）と取付け板（２ｃ２）とからなる。重り材（２ｃ１）は、例えば適当な重量の粘土塊や金属片等を用いることができ、装飾具（２）を傾倒させる側に重心があるように取付け板（２ｃ２）の下面に取り付けられている。尚、重り材（２ｃ１）の重さを調節することによって、使用者は装飾具（２）を傾倒させる時間を調節することができる。即ち、重量の重い重り材（２ｃ１）を用いれば装飾具（２）の傾倒を早めることができ、重量の軽い重り材（２ｃ１）を用いれば装飾具（２）の傾倒を遅めることができる。
【００３６】
取付け板（２ｃ２）は、スリットの入った平板状の部材であって、その上面には装飾物（２１ａ）が戴置され、該スリットに取付具（２ｂ）を挿し入れることによって取付具（２ｂ）に取り付く。尚、重り材（２ｃ１）は、取付け板（２ｃ２）の下面に対して着脱自在な構成とすれば、使用者は装飾具（２）を傾倒させる時間を調節することができる。即ち、取付け板（２ｃ２）の傾倒方向側へと重り材（２ｃ１）を取り付ければ装飾具（２）の傾倒を早めることができ、取付け板（２ｃ２）の傾倒方向の反対側へと重り材（２ｃ１）を取り付ければ装飾具（２）の傾倒を遅めることができる。そして、使用者が第１の装飾具（２１）と第２の装飾具（２２）を並列させて、第１の装飾具（２１）を第２の装飾具（２２）側に傾倒させることを希望する場合には、第１の装飾具（２１）における第２の装飾具（２２）側に引き寄せ具（２ｃ）を取り付けておけばよい。
【００３７】
受け止め部（２２ｃ）は、傾倒してきた第１の装飾具（２１）を第２の装飾具（２２）が受け止めるための部位である。即ち、第２の装飾具（２２）は、２本のアームを延設してアームの間を受け止め部（２２ｃ）として形成することによって、基台（３）の溶融に伴って傾倒してきた第１の装飾具（２１）を受け止め部（２２ｃ）内へと案内しながら受け止めることができるため、第１の装飾具（２１）が第２の装飾具（２２）に対して寄り添うような恰好を演出するには好適である。
【００３８】
基台（３）は、図６及び７に図示するように、第一の装飾具（２１）を設置するための基礎となる部材であって、台状の氷魂によって形成されている。基台（３）は、例えばペットボトルの下部を切り取った容器あるいはアイスクリーム用カップ又は即席麺用カップ等を製氷容器として用い、該製氷容器内に取付具（２ｂ）を挿し入れ水道水等を入れて冷凍庫で凍らせること等によって簡便に形成することができる。よって、図では、基台（３）は略直方体状の部材であるが、基台（３）の形状はこれに限定されるものではない。従って、使用者は、所望の形状を有する製氷容器を用いることによって様々な形状からなる基台（３）を形成することができる。あわせて、使用者は水に色素を混合させて凍らせることによって、様々な色彩を帯びた基台（３）を形成することもできる。あるいは市販されている棒付きアイスキャンディーをそのまま取付具（２ｂ）を取り付けた基台（３）として用いることもできる。
【００３９】
収容具（４）は、図６及び７に図示するように、基台（３）をその内部に収容するための収容部（４ａ）を備えている容器状の部材であり、更に戴置部（４ａ１）を備えている。収容部（４ａ）は、その全体的な形状は有底筒状であり、その底部には盛り上がり部（４ａ２）が形成されている。戴置部（４ａ１）は、収容部（４ａ）の上縁から収容部（４ａ）の外方へと突き出した平板状の部位であって、その上面には第２の装飾具（２２）が戴置される。また、収容具（４）の内側面には突起（４ａ３）を設けることによって、基台（３）の側面に突起（４ａ３）を接することで基台（３）を側面から溶融させるように構成してもよい。
【００４０】
使用者は、図６に図示するように、基台（３）の下面が盛り上がり部（４ａ２）の頂面に接するようにして基台（３）を収容部（４ａ）内へと収容し、取付具（２１ｂ）に取付け板（２ｃ２）を取り付けて第１の装飾具に係る装飾物（２１ａ）を取付け板（２ｃ２）の上面に戴置して、第１の装飾具（２１）を基台（３）に設置する。あわせて、使用者は第２の装飾具（２２）を戴置部（４ａ１）の上面に戴置する。このとき、第１の装飾具（２１）が傾倒した際に第２の装飾具（２２）の受け止め部（２２ｃ）内に受け止められるように、それらの位置を調節して上記の作業を行う。基台（３）が溶融すると、基台（３）が盛り上がり部（４ａ２）の頂面上に戴置されており、また突起（４ａ３）によって側面からも溶融していき、更に第１の装飾具（２１）には第２の装飾具（２２）側に重り材（２ｃ１）が取り付けられているため、第１の装飾具（２１）は第２の装飾具（２２）側へと傾倒し、図７に図示するように受け止め部（２２ｃ）内に受け止められる。そうすると、女性を表現した第１の装飾具（２１）が男性を表現した第２の装飾具（２２）に対して寄り添うような恰好を演出することになり、傾倒装飾体（１）はカップル向けの装飾体として好適である。
【００４１】
以上が、本考案の第２実施形態に係る傾倒装飾体の構造及びその使用態様についての説明である。最後に、本考案の第３実施形態に係る傾倒装飾体の構造及びその使用態様について添付図面に基づいて説明する。
【００４２】
本考案の第３実施形態に係る傾倒装飾体（１）は、図８ないし１１に図示するように、装飾具（２）と、基台（３）と、収容具（４）とから構成されている。
【００４３】
装飾具（２）は、図８ないし１１に図示するように、装飾物（２ａ）と、取付具（２ｂ）と、引き寄せ具（２ｃ）とからなる。
【００４４】
装飾物（２ａ）は、傾倒装飾体（１）の装飾性を発揮するための部材であって、例えば防水塗料を表面に塗布した厚紙等の平面状の部材を用いて所定の形状に形成することができる。図では、装飾物（２ａ）は女性を表現しているが、特にこれに限定されるものではない。
【００４５】
取付具（２ｂ）は、装飾物（２ａ）を基台（３）に設置するための部材であって、第１の棒状部材（２ｂ１）の下端が第２の棒状部材（２ｂ２）の上端において回動可能なように軸支されており、装飾具（２）が傾倒するのにあわせて屈曲する屈曲部（２ｂ３）になっている。取付具（２ｂ）としては、例えば中間部が蛇腹になっていて折れ曲がるようになっている飲料用ストローを用いることもできる。図示するように、人物を表現した装飾物（２ａ）をその腰部が屈曲部（２ｂ３）に当接するように取り付けることによって、屈曲部（２ｂ３）が屈曲すると装飾物（２ａ）に表現された人物がお辞儀をするような恰好になる。
【００４６】
ここで、第１の棒状部材（２ｂ１）の下端が第２の棒状部材（２ｂ２）の上端に対して回動する範囲を調節することによって、装飾具（２）が屈曲する度合いを調節することができる。即ち、第１の棒状部材（２ｂ１）の下端が第２の棒状部材（２ｂ２）の上端に対して回動する範囲を狭くすれば装飾具（２）が屈曲する度合いが小さくなり、反対に第１の棒状部材（２ｂ１）の下端が第２の棒状部材（２ｂ２）の上端に対して回動する範囲を広くすれば装飾具（２）が屈曲する度合いが大きくなる。そうすると、図示するように、人物を表現した装飾物（２ａ）を用いる場合には、装飾具（２）が屈曲する度合いが小さいと装飾物（２ａ）に表現された人物が浅くお辞儀をするような恰好になり、装飾具（２）が屈曲する度合いが大きいと装飾物（２ａ）に表現された人物が深くお辞儀をするような恰好になる。更に、第２の棒状部材（２ｂ２）は、その長手方向に伸縮可能な棒状部材を用いると装飾物（２ａ）の高さ位置を調節することができて好適である。例えば、飲料用ストローのような大径中空の棒状部材とその内部に出し入れ自在の小径の棒状部材とからなる伸縮可能な棒状部材を用いることができる。
【００４７】
引き寄せ具（２ｃ）は、基台（３）の溶融に伴って装飾具（２）を傾倒させるための部材であって、装飾具（２）を傾倒させる方向へと装飾物（２ａ）を引き寄せる部材であり、重り材（２ｃ１）と取付け板（２ｃ２）とからなる。重り材（２ｃ１）は、例えば適当な重量の粘土塊や金属片等を用いることができ、装飾具（２）を傾倒させる側に重心があるように取付け板（２ｃ２）の下面に取り付けられている。ここで、重り材（２ｃ１）の重さを調節することによって、使用者は装飾具（２）を傾倒させる時間を調節することができる。即ち、重量の重い重り材（２ｃ１）を用いれば装飾具（２）の傾倒を早めることができ、重量の軽い重り材（２ｃ１）を用いれば装飾具（２）の傾倒を遅めることができる。また、重り材（２ｃ１）は、取付け板（２ｃ２）の下面に対して着脱自在な構成とすれば、使用者は装飾具（２）を傾倒させる時間を調節することができる。即ち、傾倒方向側へと取付け板（２ｃ２）に重り材（２ｃ１）を取り付ければ装飾具（２）の傾倒を早めることができ、傾倒方向の反対側へと取付け板（２ｃ２）に重り材（２ｃ１）を取り付ければ装飾具（２）の傾倒を遅めることができる。
【００４８】
取付け板（２ｃ２）は、平板状の部材であって、取付具（２ｂ）を挿通して取り付けるための貫通孔（２ｃ３）が穿設されている。ここで、取付け板（２ｃ２）が取付具（２ｂ）から脱落してしまうことを防ぐため、貫通孔（２ｃ３）の形状及び大きさは取付具（２ｂ）における挿通箇所の形状及び大きさと略等しいものとするのがよい。尚、取付け板（２ｃ２）には、様々な模様を描いたり様々な色彩で着色したりすると、傾倒装飾体（１）の装飾性を更に向上させることができ、好適である。
【００４９】
基台（３）は、図８ないし１１に図示するように、装飾具（２）を立設するための基礎となる部材であって、複数のブロック状の氷魂によって形成されている。該複数のブロック状の氷魂は、各種の製氷容器に水道水等を入れて冷凍庫等で凍らせることによって簡便に形成することができる。よって、図では、該複数のブロック状の氷魂は直方体状であるが、その形状はこれに限定されるものではない。従って、使用者は、ハート形や星形等の所望の形状を備える製氷容器を用いることによって様々な形状からなる該複数のブロック状の氷魂を形成することができる。あわせて、使用者は水に色素を混合させて凍らせることによって、様々な色彩を帯びた該複数のブロック状の氷魂を形成することもできる。もちろん、基台（３）は、図示するように単一の形状、大きさ、及び色彩等を備える複数のブロック状の氷魂から形成されるものに限らず、様々な形状、大きさ、及び色彩等を備える複数のブロック状の氷魂を組み合わせて形成することも可能である。複数のブロック状の氷魂を基台（３）として用いるならば、取付具（２ｂ）の端部を該ブロック状の氷魂の間に生じた空隙に挿し入れて取り付けることによっても、基台（３）に装飾具（２）を簡便に設置することができ、好適である。
【００５０】
収容具（４） は、基台（３）をその内部に収容するための部材であって、図８ないし１１に図示するように、容器状の部材である収容部（４ａ）の他に蓋部（４ｂ）を有する。収容部（４ａ）の形状は有底筒状であって上部から下部に向かってやや窄んでいるものの、特にこの形状に限定されることなく、例えば各種の飲料用容器を用いることができる。
【００５１】
蓋部（４ｂ）は、収容部（４ａ）の上面を覆うための部材であって、取付具（２ｂ）を挿通するための貫通孔（４ｂ１）が穿設されている。基台（３）の溶融に伴って装飾具（２ａ）が傾倒するように、貫通孔（４ｂ１）の大きさは取付具（２ｂ）における挿通箇所の大きさよりも若干大きいものとするのがよい。また、上記の通り、収容部（４ａ）としては種々の大きさを備える各種の容器を用いることができるところ、蓋部（４ｂ）に段部（４ｂ２）を設けることによって、種々の大きさを備える収容部（４ｂ）の上面に取り付けることができるようにすると、好適である。
【００５２】
使用者は、図８及び９に図示するように、基台（３）を収容部（４ａ）内へと収容し、収容部（４ａ）の上面を蓋部（４ｂ）によって閉鎖する。そして、第２の棒状部材（２ｂ２）の下端を貫通孔（４ｂ１）に挿通して基台（３）へと挿入し、装飾具（２）を基台（３）に設置する。このとき、装飾具（２）は、第１の棒状部材（２ｂ１）が第２の棒状部材（２ｂ２）に対して不意に回動することを防止するため、装飾具（２）を傾倒させる方向とは反対側に若干傾けて基台（３）に立設するのが好適である。そして、基台（３）が溶融すると、装飾具（２）には装飾物（２ａ）の正面前方に重り材（２ｃ１）が取り付けられているため、装飾具（２）は装飾物（２ａ）の正面前方へと傾倒し、それにあわせて図１０及び１１に図示するように装飾具（２）は屈曲部（２ｂ３）において屈曲する。そうすると、女性を表現した装飾具（２ａ）がお辞儀をする恰好を演出することになるため、傾倒装飾体（１）は店舗向けの装飾体として好適である。
【００５３】
上記のように、傾倒装飾体（１）は、いかなる場所でも設置して装飾具（２）を傾倒させることができるとともに、装飾具（２）、基台（３）、及び収容具（４）には様々な態様のものを用いることができるため、その装飾性が高まっていることから傾倒装飾体（１）の観賞者を十分に楽しませることができる。
【符号の説明】
【００５４】
１  傾倒装飾体
２  装飾具
２ａ  装飾物
２ｂ  取付具
２ｂ１  第１の棒状部材
２ｂ２  第２の棒状部材
２ｂ３  屈曲部
２１  第１の装飾具
２１ａ  装飾物
２１ｂ  取付具
２２  第２の装飾具
２２ａ  装飾物
２２ｂ  取付具
２２ｃ  受け止め部
２ｃ  引き寄せ具
２ｃ１  重り材
２ｃ２  取付板
２ｃ３  貫通孔
３  基台
４  収容具
４ａ  収容部
４ａ１  戴置部
４ａ２  盛り上がり部
４ａ３  突起
４ｂ  蓋部
４ｂ１  貫通孔
４ｂ２  段部
【図１】
0003200620.tif 000003
【図２】
0003200620.tif 000004
【図３】
0003200620.tif 000005
【図４】
0003200620.tif 000006
【図５】
0003200620.tif 000007
【図６】
0003200620.tif 000008
【図７】
0003200620.tif 000009
【図８】
0003200620.tif 000010
【図９】
0003200620.tif 000011
【図１０】
0003200620.tif 000012
【図１１】
0003200620.tif 000013
【手続補正書】
【提出日】平成27年8月15日(2015.8.15)
【手続補正１】
【補正対象書類名】実用新案登録請求の範囲
【補正対象項目名】請求項１
【補正方法】変更
【補正の内容】
【請求項１】
装飾具と、基台と、収容具とから構成されている傾倒装飾体であって、該装飾具は、装飾物と、取付具と、重り具とからなり、該装飾物は、該傾倒装飾体の装飾性を発揮するための部材であり、該取付具は、該装飾具を該基台に設置するための部材であって、該装飾物が取り付けられるとともに、該基台に取り付けられ、該重り具は、該基台の溶融に伴って該装飾具を傾倒させるための部材であって、該装飾具を傾倒させる側に該装飾具の重心を位置させる重りとなる部材であり、該基台は、該装飾具を立設するための基礎となる部材であって、氷魂によって形成されており、該収容具は、該基台をその内部に収容するための収容部を備えていることを特徴とする傾倒装飾体。
【手続補正２】
【補正対象書類名】明細書
【補正対象項目名】０００９
【補正方法】変更
【補正の内容】
【０００９】請求項１に係る傾倒装飾体（１）は、装飾具（２、２１）と、基台（３）と、収容具（４）とから構成されている。装飾具（２、２１）は、装飾物（２ａ、２１ａ）と、取付具（２ｂ、２１ｂ）と、重り具（２ｃ）とからなる。装飾物（２ａ、２１ａ）は、傾倒装飾体（１）の装飾性を発揮するための部材である。取付具（２ｂ、２１ｂ）は、装飾具（２、２１）を基台（３）に設置するための部材であって、装飾物（２ａ、２１ａ）が取り付けられるとともに、基台（３）に取り付けられる。重り具（２ｃ）は、基台（３）の溶融に伴って装飾具（２）を傾倒させるための部材であって、装飾具（２）を傾倒させる側に装飾具（２）の重心を位置させる重りとなる部材である。基台（３）は、装飾具（２）を立設するための基礎となる部材であって、氷魂によって形成されている。収容具（４）は、基台（３）をその内部に収容するための収容部（４ａ）を備えている。
【手続補正３】
【補正対象書類名】明細書
【補正対象項目名】００１３
【補正方法】変更
【補正の内容】
【００１３】まず、取付具（２ｂ、２１ｂ）が取り付いている氷魂によって形成されている基台（３）が収容部（４ａ）内において溶融するのに伴って、装飾具（２、２１）は重り具（２ｃ）によって装飾具（２、２１）の重心が位置する側へと傾倒する。そうすると、傾倒装飾体（１）は、上記の従来技術に係る傾倒装飾体のように運転中の自動車に設置しなくても、あらゆる場所に設置して装飾物を傾倒させることができる。従って、本考案に係る傾倒装飾体は、該傾倒装飾体を構成する装飾物が傾倒することによってその観賞者を楽しませる傾倒装飾体であって、いかなる場所でも設置して装飾物を傾倒させることができる傾倒装飾体を提供するという本考案の解決しようとする第１の課題を解決することができる。
【手続補正４】
【補正対象書類名】明細書
【補正対象項目名】００２１
【補正方法】変更
【補正の内容】
【００２１】第１の装飾具（２１）は、装飾物（２１ａ）と、取付具（２１ｂ）と、重り具（２ｃ）とからなる。第２の装飾具（２２）は、装飾物（２２ａ）と、取付具（２２ｂ）とからなり、受け止め部（２２ｃ）が設けられている。
【手続補正５】
【補正対象書類名】明細書
【補正対象項目名】００２４
【補正方法】変更
【補正の内容】
【００２４】重り具（２ｃ）は、基台（３）の溶融に伴って装飾具（２）を傾倒させるための部材であって、装飾具（２）を傾倒させる側に装飾具（２）の重心を位置させる重りとなる部材である。重り具（２ｃ）としては、具体的には適当な重量の粘土塊や金属片等を用いることができる。例えば、使用者が第１の装飾具（２１）と第２の装飾具（２２）を並列させて、第１の装飾具（２１）を第２の装飾具（２２）側に傾倒させることを希望する場合には、第１の装飾具（２１）における第２の装飾具（２２）側に重り具（２ｃ）を取り付けておけばよい。
【手続補正６】
【補正対象書類名】明細書
【補正対象項目名】００２８
【補正方法】変更
【補正の内容】
【００２８】使用者は、図２及び３に図示するように、取付具（２１ｂ）の下端を基台（３）の上面に突き刺して取り付け、装飾具（２）を基台（３）に設置する。このとき、第１の装飾具（２１）が傾倒した際に第２の装飾具（２２）の受け止め部（２２ｃ）内に受け止められるように、それらの位置を調節して装飾具（２）を基台（３）に取り付けるようにする。基台（３）が溶融すると、第１の装飾具（２１）に係る取付具（２１ｂ）には比較的細い部材が用いられているのに対して、第２の装飾具（２２）に係る取付具（２２ｂ）には比較的太い部材が用いられており、また第１の装飾具（２１）には第２の装飾具（２２）側にその重心を位置させる重り具（２ｃ）が取り付けられているため、第１の装飾具（２１）は第２の装飾具（２２）側へと傾倒し、図４及び５に図示するように受け止め部（２２ｃ）内に受け止められる。そうすると、女性を描いた第１の装飾具（２１）が男性を描いた第２の装飾具（２２）に対して寄り添うような恰好を演出することができるため、傾倒装飾体（１）はカップル向けの装飾体として好適である。
【手続補正７】
【補正対象書類名】明細書
【補正対象項目名】００３２
【補正方法】変更
【補正の内容】
【００３２】第１の装飾具（２１）は、装飾物（２１ａ）と、取付具（２ｂ）と、重り具（２ｃ）とからなる。第２の装飾具（２２）は、装飾物（２２ａ）に受け止め部（２２ｃ）が設けられている。
【手続補正８】
【補正対象書類名】明細書
【補正対象項目名】００３５
【補正方法】変更
【補正の内容】
【００３５】重り具（２ｃ）は、基台（３）の溶融に伴って装飾具（２）を傾倒させるための部材であって、装飾具（２）を傾倒させる側に装飾具（２）の重心を位置させる重りとなる部材であり、重り材（２ｃ１）と取付け板（２ｃ２）とからなる。重り材（２ｃ１）は、例えば適当な重量の粘土塊や金属片等を用いることができ、装飾具（２）を傾倒させる側に装飾具（２）の重心があるように取付け板（２ｃ２）の下面に取り付けられている。尚、重り材（２ｃ１）の重さを調節することによって、使用者は装飾具（２）を傾倒させる時間を調節することができる。即ち、重量の重い重り材（２ｃ１）を用いれば装飾具（２）の傾倒を早めることができ、重量の軽い重り材（２ｃ１）を用いれば装飾具（２）の傾倒を遅めることができる。
【手続補正９】
【補正対象書類名】明細書
【補正対象項目名】００３６
【補正方法】変更
【補正の内容】
【００３６】取付け板（２ｃ２）は、スリットの入った平板状の部材であって、その上面には装飾物（２１ａ）が戴置され、該スリットに取付具（２ｂ）を挿し入れることによって取付具（２ｂ）に取り付く。尚、重り材（２ｃ１）は、取付け板（２ｃ２）の下面に対して着脱自在な構成とすれば、使用者は装飾具（２）を傾倒させる時間を調節することができる。即ち、取付け板（２ｃ２）の傾倒方向寄りに重り材（２ｃ１）を取り付ければ装飾具（２）の傾倒を早めることができ、取付け板（２ｃ２）の傾倒方向とは反対寄りに重り材（２ｃ１）を取り付ければ装飾具（２）の傾倒を遅めることができる。そして、使用者が第１の装飾具（２１）と第２の装飾具（２２）を並列させて、第１の装飾具（２１）を第２の装飾具（２２）側に傾倒させることを希望する場合には、第１の装飾具（２１）における第２の装飾具（２２）側に重り具（２ｃ）を取り付けておけばよい。
【手続補正１０】
【補正対象書類名】明細書
【補正対象項目名】００４０
【補正方法】変更
【補正の内容】
【００４０】使用者は、図６に図示するように、基台（３）の下面が盛り上がり部（４ａ２）の頂面に接するようにして基台（３）を収容部（４ａ）内へと収容し、取付具（２１ｂ）に取付け板（２ｃ２）を取り付けて第１の装飾具に係る装飾物（２１ａ）を取付け板（２ｃ２）の上面に戴置して、第１の装飾具（２１）を基台（３）に設置する。あわせて、使用者は第２の装飾具（２２）を戴置部（４ａ１）の上面に戴置する。このとき、第１の装飾具（２１）が傾倒した際に第２の装飾具（２２）の受け止め部（２２ｃ）内に受け止められるように、それらの位置を調節して上記の作業を行う。基台（３）が溶融すると、基台（３）が盛り上がり部（４ａ２）の頂面上に戴置されており、また突起（４ａ３）によって側面からも溶融していき、更に第１の装飾具（２１）には第２の装飾具（２２）側にその重心を位置させる重り具（２ｃ）が備えられているため、第１の装飾具（２１）は第２の装飾具（２２）側へと傾倒し、図７に図示するように受け止め部（２２ｃ）内に受け止められる。そうすると、女性を表現した第１の装飾具（２１）が男性を表現した第２の装飾具（２２）に対して寄り添うような恰好を演出することになり、傾倒装飾体（１）はカップル向けの装飾体として好適である。
【手続補正１１】
【補正対象書類名】明細書
【補正対象項目名】００４３
【補正方法】変更
【補正の内容】
【００４３】装飾具（２）は、図８ないし１１に図示するように、装飾物（２ａ）と、取付具（２ｂ）と、重り具（２ｃ）とからなる。
【手続補正１２】
【補正対象書類名】明細書
【補正対象項目名】００４７
【補正方法】変更
【補正の内容】
【００４７】重り具（２ｃ）は、基台（３）の溶融に伴って装飾具（２）を傾倒させるための部材であって、装飾具（２）を傾倒させる側に装飾具（２）の重心を位置させる重りとなる部材であり、重り材（２ｃ１）と取付け板（２ｃ２）とからなる。重り材（２ｃ１）は、例えば適当な重量の粘土塊や金属片等を用いることができ、装飾具（２）を傾倒させる側に装飾具（２）の重心があるように取付け板（２ｃ２）の下面に取り付けられている。ここで、重り材（２ｃ１）の重さを調節することによって、使用者は装飾具（２）を傾倒させる時間を調節することができる。即ち、重量の重い重り材（２ｃ１）を用いれば装飾具（２）の傾倒を早めることができ、重量の軽い重り材（２ｃ１）を用いれば装飾具（２）の傾倒を遅めることができる。また、重り材（２ｃ１）は、取付け板（２ｃ２）の下面に対して着脱自在な構成とすれば、使用者は装飾具（２）を傾倒させる時間を調節することができる。即ち、傾倒方向寄りに取付け板（２ｃ２）に重り材（２ｃ１）を取り付ければ装飾具（２）の傾倒を早めることができ、傾倒方向とは反対寄りに取付け板（２ｃ２）に重り材（２ｃ１）を取り付ければ装飾具（２）の傾倒を遅めることができる。
【手続補正１３】
【補正対象書類名】明細書
【補正対象項目名】００５２
【補正方法】変更
【補正の内容】
【００５２】使用者は、図８及び９に図示するように、基台（３）を収容部（４ａ）内へと収容し、収容部（４ａ）の上面を蓋部（４ｂ）によって閉鎖する。そして、第２の棒状部材（２ｂ２）の下端を貫通孔（４ｂ１）に挿通して基台（３）へと挿入し、装飾具（２）を基台（３）に設置する。このとき、装飾具（２）は、第１の棒状部材（２ｂ１）が第２の棒状部材（２ｂ２）に対して不意に回動することを防止するため、装飾具（２）を傾倒させる方向とは反対側に若干傾けて基台（３）に立設するのが好適である。そして、基台（３）が溶融すると、装飾具（２）には装飾物（２ａ）の正面前方に装飾具（２）の重心を位置させる重り具（２ｃ）が備えられているため、装飾具（２）は装飾物（２ａ）の正面前方へと傾倒し、それにあわせて図１０及び１１に図示するように装飾具（２）は屈曲部（２ｂ３）において屈曲する。そうすると、女性を表現した装飾具（２ａ）がお辞儀をする恰好を演出することになるため、傾倒装飾体（１）は店舗向けの装飾体として好適である。
【手続補正１４】
【補正対象書類名】明細書
【補正対象項目名】００５４
【補正方法】変更
【補正の内容】
【００５４】１  傾倒装飾体２  装飾具２ａ  装飾物２ｂ  取付具２ｂ１  第１の棒状部材２ｂ２  第２の棒状部材２ｂ３  屈曲部２１  第１の装飾具２１ａ  装飾物２１ｂ  取付具２２  第２の装飾具２２ａ  装飾物２２ｂ  取付具２２ｃ  受け止め部２ｃ  重り具２ｃ１  重り材２ｃ２  取付板２ｃ３  貫通孔３  基台４  収容具４ａ  収容部４ａ１  戴置部４ａ２  盛り上がり部４ａ３  突起４ｂ  蓋部４ｂ１  貫通孔４ｂ２  段部